(57)【要約】【課題】仮設足場の足場支柱に開閉式シート構造用レール等の被取付体を取り付けるための取付金具として、足場支柱の種類を問わずに広く使用することが可能であり、足場支柱にねじれや変形が生じている場合でも、被取付体をその機能が損なわれないように適切に取り付けることが可能なものを提供する。【解決手段】仮設足場用取付金具1は、第1クランプ部材21、第２クランプ部材22、揺動ボルト23およびナット24を有しかつ足場支柱Pの任意の高さ位置に取付可能なクランプ2と、被取付体Rに所定の取付手段によって取付可能となされかつ被取付体および取付手段と干渉しない箇所にクランプとの連結基部30が設けられている取付ベース3と、第１クランプ部材および連結基部を緩く貫通させられかつ両端に抜け止め部411,42,43を有している連結軸4と、第１クランプ部材と連結基部との間に連結軸を囲むように介在されてクランプおよび取付ベースを互いに離れる方向に付勢する弾性部材5とを備えている。【選択図】図１
2018127769.tif 000002
【特許請求の範囲】
【請求項１】
仮設足場において足場支柱に被取付体を取り付けるための取付金具であって、
一端どうしがヒンジ結合されている第1クランプ部材および第２クランプ部材、第１クランプ部材の他端に揺動自在に取り付けられている揺動ボルト、ならびに揺動ボルトの先端にねじ嵌められかつ第２クランプ部材の他端に係り止められるナットを有しており、足場支柱の任意の高さ位置に取付可能なクランプと、
被取付体に所定の取付手段によって取付可能となされておりかつ被取付体および取付手段と干渉しない箇所にクランプとの連結基部が設けられている取付ベースと、
クランプのいずれか一方のクランプ部材および取付ベースの連結基部を緩く貫通させられかつ両端に抜け止め部を有している連結軸と、
クランプの前記一方のクランプ部材と取付ベースの連結基部との間に連結軸を囲むように介在されてクランプおよび取付ベースを互いに離れる方向に付勢する弾性部材、
とを備えている、仮設足場用取付金具。
【請求項２】
弾性部材が圧縮コイルばねよりなり、クランプの前記一方のクランプ部材および取付ベースの連結基部の互いに向かい合う面のうち少なくともいずれか一方に、圧縮コイルばねの位置ずれを防止するための突起が設けられている、請求項１記載の仮設足場用取付金具。
【請求項３】
連結軸が、頭部付きボルトと、同ボルトの先端にねじ嵌められるナットとで構成されており、ボルトの頭部およびナットが抜け止め部となされている、請求項１または２記載の仮設足場用取付金具。
【請求項４】
取付ベースが、
両端部分に挿通孔を有している垂直板部、および垂直板部の長さ中間部分からクランプ側に向かって突出するように設けられた側面より見てコ字形の台板部を有しており、台板部の頂壁部分が連結基部となされている取付ベース本体と、
被取付体に設けられた内部拡大溝に同溝のいずれか一端から挿入可能な垂直板片よりなり、かつ垂直板片の両端部に内部拡大溝の開口を通じて外方に突出しうるように２本のねじ棒が立設されている挟持体とを備えており、
取付ベース本体の垂直板部の２つの挿通孔に挟持体の２つのねじ棒がそれぞれ挿通されるとともに、各ねじ棒の先端にナットがねじ嵌められて締め付けられることにより、被取付体における内部拡大溝の開口両縁部が、取付ベース本体と挟持体とで挟持されるようになっている、請求項１〜３のいずれか１つに記載の仮設足場用取付金具。
【発明の詳細な説明】
【技術分野】
【０００１】
この発明は、仮設足場において、足場支柱に、例えば開閉式シート構造用レール等の被取付体を取り付ける際に用いられる取付金具に関する。
【背景技術】
【０００２】
例えば、マンション等の中高層住宅の外壁の改修工事に際しては、通常、吹付塗装時の塗料飛散防止や飛来落下物の飛び出し防止等の目的で、仮設足場の外側構面にメッシュシート等よりなるシートが張られている。
しかしながら、改修工事期間中、シートは張られたままであるので、ベランダや窓の前の眺望、風通しが妨げられるなど、居住環境が悪化するという問題があった。
【０００３】
そこで、上記のような問題を解決する手段として、下記の特許文献１記載の開閉式シート構造が提案されている。図４〜図６を参照すると、この開閉式シート構造は、仮設足場の外側構面に沿うように水平方向に間隔をおいて垂直に立てられた複数のレール(R)と、隣り合うレール(R)間に架設された横桟(91)と、各レール(R)に沿って上下方向走行可能に設けられた複数のランナー(92)と、上縁部が横桟(91)に両側縁部がランナー(92)にそれぞれ取り付けられたシート(93)と、横桟(91)に設けられた滑車(94)と、一端がシート(93)の下縁部に固定されかつ滑車(94)に巻き掛けられたロープ(95)とを備えている。上記の開閉式シート構造にあっては、ロープ(95)の他端側を引き下げることにより、シート(93)が上方にたくし上げられて開状態となされ、ロープ(95)を元に戻すことにより、シート(93)が下りて閉状態となされる。したがって、この開閉式シート構造を使用すれば、工事が行われない時や作業終了後に、シート(93)を簡単に開けることができるので、改修工事中の居住環境が改善される。
ここで、各レール(R)は、図５および図６に示すような取付金具(96)によって、足場支柱(P10)の所定高さ位置に取り付けられている。レール(R)には、各ランナー(92)のローラ(921)が挿入されて内面を転動させられる左右２つのランナー案内溝(R1)が設けられているとともに、これらのランナー案内溝(R1)の背面側に、内部拡大溝よりなる取付用溝(R2)が設けられている。取付金具(96)は、取付ブラケット(961)と、挟持体(962)とを備えている。取付ブラケット(961)は、両端部分に挿通孔を有している垂直板部(961a)、垂直板部(961a)の長さ中間部分から足場支柱(P10)側に向かって水平に張り出したアーム部(961b)、およびアーム部(961b)の先端から下方にのびかつ先端に向かって次第に細くなるくさび部(961c)とを備えている。くさび部(961c)は、足場支柱(P10)の外周面の所定高さ位置に平面より見てコ字形の折曲金属片を接合することにより形成された４つの差込口(P11)のいずれかに差し込まれるようになっている。挟持体(962)は、レール(R)の取付用溝(R2)の上下いずれか一端から挿入可能な垂直板片よりなり、垂直板片の両端部には、取付用溝(R2)の開口を通じて外方に突出しうるように２本のねじ棒(963)が立設されている。
取付ブラケット(961)の垂直板部(961a)の２つの挿通孔に、挟持体(962)の２つのねじ棒(963)をそれぞれ挿通させて、各ねじ棒(963)の先端に、ナット(964)をねじ嵌めて締め付けると、レール(R)における取付用溝(R2)の開口両縁部が、取付ブラケット(961)および挟持体(962)によって挟持され、それによって、取付金具(96)がレール(R)の所要高さ位置に固定される。そして、取付ブラケット(961)のくさび部(961c)を、足場支柱(P10)の所要の差込口(P11)に差し込む。さらに、くさび部(961c)が差込口(P11)から抜けないように、足場支柱(P10)におけるくさび部(961c)の上側隣接箇所に、クランプ(C)を取り付ける。こうして、レール(R)が、取付金具(96)を介して、足場支柱(P10)に取り付けられる。
【先行技術文献】
【特許文献】
【０００４】
【特許文献１】特開２０１５−２１２５１２号公報
【発明の概要】
【発明が解決しようとする課題】
【０００５】
しなしながら、上記の取付金具(96)は、常に差込口(P11)を有する足場支柱(P10)と組み合わせて使用する必要があるため、差込口を有しない足場支柱を備えた仮設足場では、使用することができなかった。
また、仮設足場の足場支柱の場合、鉛直方向に対して曲がりが生じていることがあるが、このような足場支柱に開閉式シート構造のレール(R)を取り付けた場合、レール(R)に歪みが生じて、ランナー(92)がうまく走行せず、シート(93)の開閉に支障が生じるおそれがあった。
【０００６】
この発明の目的は、仮設足場の足場支柱に開閉式シート構造用レール等の被取付体を取り付けるための取付金具として、足場支柱の種類を問わずに広く使用することが可能であるとともに、足場支柱に鉛直方向に対する曲がりが生じている場合でも、被取付体をその機能が損なわれないように適切に取り付けることが可能なものを提供することにある。
【課題を解決するための手段】
【０００７】
この発明は、上記の目的を達成するために、以下の態様からなる。
【０００８】
１）仮設足場において足場支柱に被取付体を取り付けるための取付金具であって、
一端どうしがヒンジ結合されている第1クランプ部材および第２クランプ部材、第１クランプ部材の他端に揺動自在に取り付けられている揺動ボルト、ならびに揺動ボルトの先端にねじ嵌められかつ第２クランプ部材の他端に係り止められるナットを有しており、足場支柱の任意の高さ位置に取付可能なクランプと、
被取付体に所定の取付手段によって取付可能となされておりかつ被取付体および取付手段と干渉しない箇所にクランプとの連結基部が設けられている取付ベースと、
クランプのいずれか一方のクランプ部材および取付ベースの連結基部を緩く貫通させられかつ両端に抜け止め部を有している連結軸と、
クランプの前記一方のクランプ部材と取付ベースの連結基部との間に連結軸を囲むように介在されてクランプおよび取付ベースを互いに離れる方向に付勢する弾性部材、
とを備えている、仮設足場用取付金具。
【０００９】
２）弾性部材が圧縮コイルばねよりなり、クランプの前記一方のクランプ部材および取付ベースの連結基部の互いに向かい合う面のうち少なくともいずれか一方に、圧縮コイルばねの位置ずれを防止するための突起が設けられている、上記１）の仮設足場用取付金具。
【００１０】
３）連結軸が、頭部付きボルトと、同ボルトの先端にねじ嵌められるナットとで構成されており、ボルトの頭部およびナットが抜け止め部となされている、上記１）または２）の仮設足場用取付金具。
【００１１】
４）取付ベースが、
両端部分に挿通孔を有している垂直板部、および垂直板部の長さ中間部分からクランプ側に向かって突出するように設けられた側面より見てコ字形の台板部を有しており、台板部の頂壁部分が連結基部となされている取付ベース本体と、
被取付体に設けられた内部拡大溝に同溝のいずれか一端から挿入可能な垂直板片よりなり、かつ両端部に内部拡大溝の開口を通じて外方に突出しうるように２本のねじ棒が立設されている挟持体とを備えており、
取付ベースの垂直板部の２つの挿通孔に挟持体の２本のねじ棒がそれぞれ挿通されるとともに、各ねじ棒の先端にナットがねじ嵌められて締め付けられることにより、被取付体における内部拡大溝の開口両縁部が、取付ベース本体と挟持体とで挟持されるようになっている、上記１）〜３）のいずれか１つの仮設足場用取付金具。
【発明の効果】
【００１２】
上記１）の仮設足場用取付金具によれば、足場支柱に取り付けられる部材としてクランプが用いられているので、取付対象が特許文献１記載の取付金具のように差込口を有する足場支柱には限定されず、様々な種類の足場支柱に取り付けて使用することが可能である。
また、上記１）の仮設足場用取付金具によれば、足場支柱に取り付けられるクランプのいずれか一方のクランプ部材と、被取付体に取り付けられる取付ベースの連結基部とが、連結軸により、遊びを持たせて連結されているとともに、同クランプ部材と連結基部との間に介在された弾性部材の弾性力によって、クランプおよび取付ベースが互いに離れる方向に付勢されているので、足場支柱に鉛直方向に対する曲がりが生じている場合であっても、そのような曲がりを吸収して、被取付体を、適正な位置・向きとなるように調整して取り付けることができる。
【００１３】
上記２）の仮設足場用取付金具によれば、弾性部材として圧縮コイルばねが用いられているので、優れた取付強度および耐久性が得られ、また、クランプの一方のクランプ部材および取付ベースの連結基部の互いに向かい合う面のうち少なくともいずれか一方に設けられた突起により、圧縮コイルばねの位置ずれが防止されるため、常に圧縮コイルばねを適正な位置に保持して、クランプおよび取付ベースに付勢力を作用させることができる。
【００１４】
上記３）の仮設足場用取付金具によれば、連結軸が頭部付きボルトとナットとで構成され、ボルトの頭部およびナットが抜け止め部となされているので、取付金具の組立が容易であり、また、現場の状況等に応じて、クランプと取付ベースとの距離を簡単に調整することができる。
【００１５】
上記４）の仮設足場用取付金具によれば、取付ベース本体が、垂直板部と台板部とを有しており、台板部の頂壁部分が連結基部となされているので、例えば、垂直板部を構成する金属板片と、台板部を構成する折曲金属板片とを溶接して簡単に製造することができ、コストが抑えられる上、強度的にも優れたものとなる。
【図面の簡単な説明】
【００１６】
【図１】この発明による仮設足場用取付金具の側面図である。
【図２】図１のII−II線に沿う断面図である。
【図３】図１のIII−III線に沿う断面図であって、（ａ）は足場支柱にねじれがない場合の取付状態を示すものであり、（ｂ）は足場支柱にねじれが生じている場合の取付状態を示すものである。
【図４】従来の開閉式シート構造を示す正面図である。
【図５】同シート構造の一部を示す水平断面図である。
【図６】同シート構造に用いられている取付金具を分解して示す斜視図である。
【発明を実施するための形態】
【００１７】
この発明の実施形態を、図１〜図３を参照して、以下に説明する。
以下の説明において、図１の右を「前」、同左を「後」といい、また、左右は、前を向いた場合の左右をいうものとする。
【００１８】
この実施形態は、この発明を、仮設足場の外側構面に沿って設置される開閉式シート構造（図４参照）の部材として用いられるレール(R)を被取付体とし、これを足場支柱(P)に取り付けるための取付金具(1)に適用したものである。ここで、図１の足場支柱(P)は、その外周面に差込口を有しないものである。
【００１９】
図１〜図３に示すように、この実施形態の仮設足場用取付金具(1)は、クランプ(2)、取付ベース(3)、連結軸(4)、および弾性部材(5)を備えている。
【００２０】
クランプ(2)は、一端どうしがピン(25)によってヒンジ結合されている第1クランプ部材(21)および第２クランプ部材(22)と、第１クランプ部材(21)の他端にピン(26)によって揺動自在に取り付けられている揺動ボルト(23)と、揺動ボルト(23)の先端にねじ嵌められかつ第２クランプ部材(22)の他端に係り止められるナット(24)とを有している。第１クランプ部材(21)は、平面より見て略Ｌ形のものであって、その前側壁部の中央付近に円形のボルト挿通孔(211)があけられている。第２クランプ部材(22)の他端（図３の右端）には、切欠きが設けられており、同切欠きに揺動ボルト(23)が通されるとともに、同切欠きの縁部よりなる係止部(221)に、揺動ボルト(23)にねじ嵌められたナット(24)が係り止められるようになっている。
【００２１】
取付ベース(3)は、取付ベース本体(31)と、挟持体(32)とを備えており、後述する取付手段によって開閉式シート構造用レール(R)（被取付体）に取り付けられるようになっている。
取付ベース本体(31)は、上下両端部分に挿通孔（図示略）を有している垂直板部(311)と、垂直板部(311)の長さ中間部分からクランプ(2)側（後側）に向かって突出するように設けられた側面より見てコ字形の台板部(312)とを備えている。そして、台板部(312)の頂壁部分が、クランプ(2)との連結基部(30)となされている。上記の取付ベース本体(31)は、垂直板部(311)を構成する金属板片と、台板部(312)を構成する折曲金属板片とを溶接することによって製造されている。連結基部(30)の中央部には、ボルト挿通孔(301)があけられている。
挟持体(32)は、レール(R)に設けられた取付用溝(R2)（内部拡大溝）に同溝(R2)の上下いずれか一端から挿入可能な垂直板片よりなり、かつ垂直板片の両端部に取付用溝(R2)の開口を通じて外方（後方）に突出しうるように２本のねじ棒(33)が立設されているものである。
そして、取付ベース本体(31)の垂直板部(311)の２つの挿通孔に挟持体(32)の２つのねじ棒(33)がそれぞれ挿通されるとともに、各ねじ棒(33)の先端にナット(34)がねじ嵌められて締め付けられることにより、レール(R)における取付用溝(R2)の開口両縁部が、取付ベース本体(31)と挟持体(32)とで挟持されるようになっている。したがって、上記の取付ベース(3)は、レール(R)の所望の高さ位置に簡単に取り付けることができる。
なお、取付ベースおよびその取付手段の構成態様は、上記の実施形態に限定されるものではなく、被取付体の種類やサイズ等に応じて適宜のものを使用することができる。
【００２２】
連結軸(4)は、クランプ(2)の第1クランプ部材(21)および取付ベース(3)の連結基部(30)を緩く貫通させられているとともに、両端に抜け止め部(411)(42)(43)を有しているものである。
連結軸(4)は、頭部(411)付きボルト(41)と、ボルト(41)の先端にねじ嵌められるナット(42)(43)とで構成されており、ボルト(41)の頭部(411)およびナット(42)(43)が抜け止め部となされている。
ボルト(41)は、第1クランプ部材(21)のボルト挿通孔(211)および連結基部(30)のボルト挿通孔(301)にまたがって挿通されている。ボルト(41)の遊び、すなわち、ボルト(41)の外径とボルト挿通孔(21)(301)の孔径との差は、小さすぎると足場支柱(P)のねじれや変形を十分に吸収できないおそれがある一方、大きすぎると取付時にガタツキが生じるおそれがあるので、１〜１．５ｍｍ程度とするのが好ましい。
上記の連結軸(4)によって、クランプ(2)と取付ベース(3)とが連結されることにより、足場支柱(P)の３次元のあらゆる方向の角度（１〜２度程度）の曲がりを吸収して、レール(R)を適正な方向および向きに取り付けることができる。
なお、連結軸は、上記の構成態様とする他、例えば、頭部付きピンと、同ピンの先端部に溶接等によって固定される抜け止め部材とで構成することも可能である。
【００２３】
弾性部材(5)は、クランプ(2)の第１クランプ部材(21)と取付ベース(3)の連結基部(30)との間に、連結軸(4)を囲むようにして介在されており、クランプ(2)および取付ベース(3)を互いに離れる方向に付勢している。
弾性部材は、圧縮コイルばね(5)よりなる。圧縮コイルばね(5)の両端部は、第１クランプ部材(21)の前側壁部表面および連結基部(30)の表面との接触面積を大きくして位置ずれが生じにくいようにするために、研磨加工によって平坦面となされている。
また、連結基部(30)の表面に、圧縮コイルばね(5)の位置ずれを防止するための突起(313)が設けられている。この実施形態では、突起(313)は、アーク溶接により形成された溶接ビードよりなり、圧縮コイルばね(5)の前端部の周囲を取り囲むように周方向等間隔おきに４つ設けられている。突起の数、形状または配置は、圧縮コイルばね(5)の位置ズレを防止できるものであれば、必ずしも上記に限定されず、適宜変更可能である。また、突起は、連結基部(30)の表面に代えて、あるいは、同表面に加えて、第１クランプ部材(21)の前側壁部表面に形成してもよい。但し、圧縮コイルばね(5)の位置ズレ防止効果や、突起(313)の形成の容易さ・加工コストを考慮すると、上記実施形態の構成態様とするのが好ましい。
また、弾性部材としては、筒状のゴム材を使用しても構わないが、耐久性を考慮すると、上記実施形態のように圧縮コイルばね(5)とするのが好ましい。
【００２４】
上記実施形態の取付金具(1)にあっては、足場支柱(P)側の取付部材としてクランプ(2)が用いられているので、足場支柱(P)の種類にかかわらず、足場支柱(P)の任意の高さ位置に着脱自在に取り付けることが可能である。
また、上記の取付金具(1)によれば、クランプ(2)と取付ベース(3)とが連結軸(4)により遊びを持たせて連結されているとともに、弾性部材(4)によってクランプ(2)および取付ベース(3)が互いに離れる方向に付勢されているので、図３（ｂ）に示すように、足場支柱(P)の３次元のあらゆる方向の角度（１〜２度程度）の曲がりを吸収して、レール(R)を歪みのない適正な方向・向きで取り付けることができる。したがって、足場支柱(P)に鉛直方向に対する曲がりがある場合でも、レール(R)に沿ってランナーがスムーズに走行し、シート)の開閉を支障なく行うことができる。
【００２５】
なお、上記の実施形態では、被取付体を開閉式シート構造のレールとしているが、この発明の仮設足場用取付金具は、仮設足場に設置されるその他の物品、例えば防音パネルなどのパネルもしくはその枠材等を、足場支柱に取り付ける場合にも適用可能である。
【産業上の利用可能性】
【００２６】
この発明は、仮設足場において、足場支柱に、例えば開閉式シート構造用レール等の被取付体を取り付けるための取付金具として好適に用いられるものである。
【符号の説明】
【００２７】
(P)：足場支柱
(R)：開閉式シート構造用レール（被取付体）
(R2)：取付用溝（内部拡大溝）
(1)：仮設足場用取付金具
(2)：クランプ
(21)：第１クランプ部材
(22)：第２クランプ部材
(23)：揺動ボルト
(24)：ナット
(3)：取付ベース
(30)：連結基部
(31)：取付ベース本体
(311)：垂直板部
(312)：台板部
(313)：突起
(32)：挟持体（垂直板片）
(33)：ねじ棒
(34)：ナット
(4)：連結軸
(41)：ボルト
(411)：頭部（抜け止め部）
(42)(43):ナット（抜け止め部）
(5)：圧縮コイルばね（弾性部材）
【図１】
2018127769.tif 000003
【図２】
2018127769.tif 000004
【図３】
2018127769.tif 000005
【図４】
2018127769.tif 000006
【図５】
2018127769.tif 000007
【図６】
2018127769.tif 000008